(57)【要約】【課題】追い焚き運転のときに、浴槽水を循環させる循環回路と浴槽内との間で浴槽水が出入りする接続口が塞がっていることに起因する異常の発生を防止または解消することに有利な給湯装置を提供する。【解決手段】追い焚き運転を制御する制御手段は、追い焚き運転を開始してからふろ戻り温度が目標温度に達するまでに要した時間が基準時間よりも短い場合には、追い焚き運転を一旦終了するとともに、循環回路と浴槽内との間で浴槽水が出入りする接続口が塞がっていないかどうかについての注意を喚起する情報である注意喚起情報を情報報知手段により報知し、その後に追い焚き運転を再び開始する。【選択図】図２
2019100635.tif 000002
【特許請求の範囲】
【請求項１】
ふろ循環ポンプを有する循環回路を介して浴槽から循環する浴槽水を加熱可能な浴槽水加熱手段と、
前記浴槽水加熱手段の入口側の浴槽水の温度であるふろ戻り温度を検知するふろ戻り温度検知手段と、
前記ふろ循環ポンプ及び前記浴槽水加熱手段を稼働させる追い焚き運転を制御する制御手段と、
使用者に情報を報知する情報報知手段と、
を備え、
前記制御手段は、前記追い焚き運転を開始してから前記ふろ戻り温度が目標温度に達するまでに要した時間が基準時間よりも短い場合には、前記追い焚き運転を一旦終了するとともに、前記循環回路と前記浴槽内との間で浴槽水が出入りする接続口が塞がっていないかどうかについての注意を喚起する情報である注意喚起情報を前記情報報知手段により報知し、その後に前記追い焚き運転を再び開始する
給湯装置。
【請求項２】
繰り返しの前記追い焚き運転の回数が第一制限回数に達した場合には、前記制御手段は、前記追い焚き運転をそれ以上実施することなく中止する請求項１に記載の給湯装置。
【請求項３】
繰り返しの前記追い焚き運転の回数が前記第一制限回数に達して前記追い焚き運転を中止した場合には、繰り返しの前記追い焚き運転の回数が前記第一制限回数に達する前の前記注意喚起情報とは異なる内容を有する前記注意喚起情報を前記情報報知手段により報知する請求項２に記載の給湯装置。
【請求項４】
前記情報報知手段は、表示により報知する表示手段と、音声案内により報知する音声案内手段とを含み、
繰り返しの前記追い焚き運転の回数が前記第一制限回数に達していない場合には、前記音声案内手段を用いることなく前記表示手段により前記注意喚起情報を報知する請求項２または請求項３に記載の給湯装置。
【請求項５】
前記情報報知手段は、表示により報知する表示手段と、音声案内により報知する音声案内手段とを含み、
繰り返しの前記追い焚き運転の回数が前記第一制限回数に達して前記追い焚き運転を中止した場合には、前記表示手段及び前記音声案内手段の両方から前記注意喚起情報を報知する請求項２から請求項４のいずれか一項に記載の給湯装置。
【請求項６】
前記情報報知手段は、浴室に設けられており、
前記浴室以外の場所に設けられた浴室外報知手段をさらに備え、
繰り返しの前記追い焚き運転の回数が前記第一制限回数に達していない場合には、前記浴室外報知手段を用いることなく前記情報報知手段により前記注意喚起情報を報知する請求項２から請求項５のいずれか一項に記載の給湯装置。
【請求項７】
前記情報報知手段は、浴室に設けられており、
前記浴室以外の場所に設けられた浴室外報知手段をさらに備え、
繰り返しの前記追い焚き運転の回数が前記第一制限回数に達して前記追い焚き運転を中止した場合には、前記情報報知手段及び前記浴室外報知手段の両方から前記注意喚起情報を報知する請求項２から請求項６のいずれか一項に記載の給湯装置。
【請求項８】
前記制御手段は、繰り返しの前記追い焚き運転の回数が前記第一制限回数に達して前記追い焚き運転を中止した後、使用者の操作に応じて前記追い焚き運転を再実行した場合において、当該再実行の後の繰り返しの前記追い焚き運転の回数が、前記第一制限回数よりも少ない第二制限回数に達した場合には、前記追い焚き運転をそれ以上実施することなく中止する請求項２から請求項７のいずれか一項に記載の給湯装置。
【請求項９】
前記制御手段は、繰り返しの前記追い焚き運転の回数が前記第一制限回数に達して前記追い焚き運転を中止した後、使用者の操作に応じて再実行された前記追い焚き運転が正常に終了した場合には、繰り返しの前記追い焚き運転の回数の上限として前記第二制限回数ではなく前記第一制限回数を設定する請求項８に記載の給湯装置。
【請求項１０】
前記浴槽水加熱手段は、熱源流体と浴槽水との間で熱を交換する熱交換器を備える請求項１から請求項９のいずれか一項に記載の給湯装置。
【請求項１１】
前記制御手段は、前記追い焚き運転の開始時の前記ふろ戻り温度と、前記目標温度と、前記浴槽内の浴槽水の量とに基づいて、前記基準時間を算出する請求項１から請求項１０のいずれか一項に記載の給湯装置。
【発明の詳細な説明】
【技術分野】
【０００１】
本発明は、給湯装置に関する。
【背景技術】
【０００２】
浴槽から導かれた浴槽水を加熱する、例えばふろ用熱交換器のような浴槽水加熱手段を備えることで、浴槽を追い焚きする機能を有する給湯装置が広く用いられている。一般に、このような給湯装置では、追い焚き運転の実施中、浴槽水加熱手段の入口側の浴槽水の温度を検知し、当該温度が目標温度以上になった場合、追い焚き運転を停止する構成としている。
【０００３】
浴槽水加熱手段に繋がる循環回路と浴槽内との間で浴槽水が出入りする接続口として、例えば浴槽アダプタが浴槽の内壁に設置されている。その接続口を入浴者が足または背中などで塞いでいると、浴槽内全体の温度が十分に昇温していないにもかかわらず、浴槽内の一部の昇温した浴槽水が循環回路に引き込まれ、昇温した浴槽水の温度が浴槽水加熱手段の入口側で検知されることで、追い焚き運転が停止してしまう場合がある。
【０００４】
特許文献１には、追い焚き運転を停止した後に浴槽水のみを循環させる運転を行い、その間に規定以下の浴槽水温度が検知された場合には再度追い焚き運転を行う技術が開示されている。
【先行技術文献】
【特許文献】
【０００５】
【特許文献１】特開２０１５−２１０００３号公報
【発明の概要】
【発明が解決しようとする課題】
【０００６】
特許文献１の技術では、再度の追い焚き運転を行ったとしても、例えば入浴者が接続口を足または背中などで塞ぎ続けていると、追い焚き運転を正常に行うことができず、追い焚き運転の完了までに長い時間がかかる可能性がある。
【０００７】
本発明は、上述のような課題を解決するためになされたもので、追い焚き運転のときに、浴槽水を循環させる循環回路と浴槽内との間で浴槽水が出入りする接続口が塞がっていることに起因する異常の発生を防止または解消することに有利な給湯装置を提供することを目的とする。
【課題を解決するための手段】
【０００８】
本発明に係る給湯装置は、ふろ循環ポンプを有する循環回路を介して浴槽から循環する浴槽水を加熱可能な浴槽水加熱手段と、浴槽水加熱手段の入口側の浴槽水の温度であるふろ戻り温度を検知するふろ戻り温度検知手段と、ふろ循環ポンプ及び浴槽水加熱手段を稼働させる追い焚き運転を制御する制御手段と、使用者に情報を報知する情報報知手段と、を備え、制御手段は、追い焚き運転を開始してからふろ戻り温度が目標温度に達するまでに要した時間が基準時間よりも短い場合には、追い焚き運転を一旦終了するとともに、循環回路と浴槽内との間で浴槽水が出入りする接続口が塞がっていないかどうかについての注意を喚起する情報である注意喚起情報を情報報知手段により報知し、その後に追い焚き運転を再び開始するものである。
【発明の効果】
【０００９】
本発明によれば、追い焚き運転のときに、浴槽水を循環させる循環回路と浴槽内との間で浴槽水が出入りする接続口が塞がっていることに起因する異常の発生を防止または解消することに有利な給湯装置を提供することが可能となる。
【図面の簡単な説明】
【００１０】
【図１】実施の形態１による給湯装置を示す図である。
【図２】実施の形態１における追い焚き運転のときの制御の一例を示すフローチャートである。
【図３】実施の形態１における浴室リモコンの表示手段の表示例を示す図である。
【図４】浴室リモコンの表示手段に注意喚起情報を表示した例を示す図である。
【図５】浴室リモコンの表示手段に注意喚起情報を表示した例を示す図である。
【発明を実施するための形態】
【００１１】
以下、図面を参照して実施の形態について説明する。各図において共通または対応する要素には、同一の符号を付して、重複する説明を簡略化または省略する。
【００１２】
実施の形態１．
図１は、実施の形態１による給湯装置１を示す図である。図１に示すように、本実施の形態の給湯装置１は、貯湯タンク２を備えた貯湯式給湯装置に相当する。給湯装置１が備えるタンクユニット１５は、貯湯タンク２のほか、熱源流体循環回路３、熱源側ポンプ４、ふろ循環ポンプ６、ふろ用熱交換器７、ふろ戻り温度検知手段８、ふろ往き温度検知手段９、及び制御部１０を内蔵している。タンクユニット１５は、浴槽水循環回路５を介して、浴室にある浴槽２０と接続されている。
【００１３】
貯湯タンク２は、浴槽２０を加熱する追い焚き運転で熱源流体として用いる高温水を貯留する。熱源流体循環回路３は、貯湯タンク２の上部とふろ用熱交換器７の熱源流体入口とを接続する第一通路３ａと、ふろ用熱交換器７の熱源流体出口と貯湯タンク２の下部とを接続する第二通路３ｂとを有する。熱源流体を送る熱源側ポンプ４が第二通路３ｂの途中に配置されている。熱源側ポンプ４は、図示の構成に代えて、第一通路３ａに配置されていてもよい。熱源側ポンプ４を駆動することで、熱源流体循環回路３により、熱源流体となる温水をふろ用熱交換器７に循環させることができる。
【００１４】
浴槽２０の内壁に浴槽アダプタ２１が取り付けられている。本実施の形態における浴槽アダプタ２１は、浴槽水循環回路５と浴槽２０内との間で浴槽水が出入りする接続口に相当する。浴槽アダプタ２１には、当該接続口が二つ設けられている。浴槽水循環回路５は、浴槽アダプタ２１の一方の接続口とふろ用熱交換器７の浴槽水入口とを接続する第一通路５ａと、浴槽アダプタ２１の他方の接続口とふろ用熱交換器７の浴槽水出口とを接続する第二通路５ｂとを有する。浴槽水を送るふろ循環ポンプ６が第一通路５ａの途中に配置されている。ふろ循環ポンプ６は、図示の構成に代えて、第二通路５ｂに配置されていてもよい。ふろ循環ポンプ６を駆動すると、浴槽水が浴槽水循環回路５を次のように循環する。浴槽２０内の浴槽水が浴槽アダプタ２１から第一通路５ａに引き込まれ、ふろ用熱交換器７に流入する。ふろ用熱交換器７を通過した浴槽水は、第二通路５ｂを通り、浴槽アダプタ２１から浴槽２０内へ流入する。
【００１５】
第一通路５ａには、ふろ用熱交換器７の入口側の浴槽水の温度であるふろ戻り温度を検知するふろ戻り温度検知手段８が設けられている。第二通路５ｂには、ふろ用熱交換器７の出口側の浴槽水の温度であるふろ往き温度を検知するふろ往き温度検知手段９が設けられている。
【００１６】
制御部１０は、例えばマイクロコンピュータ等により構成され、ＲＯＭ、ＲＡＭ、不揮発性メモリ等を含む記憶部と、記憶部に記憶されたプログラムにより演算処理を実行する演算処理装置（ＣＰＵ）と、演算処理装置に対して外部の信号を入出力する入出力ポートと、動作時間を測定するタイマー機能とを備える制御手段である。制御部１０は、上述した熱源側ポンプ４及びふろ循環ポンプ６を含む各種アクチュエータ類と、ふろ戻り温度検知手段８及びふろ往き温度検知手段９を含む各種センサ類とに電気的に接続されている。制御部１０は、給湯装置１の運転動作を制御する。
【００１７】
制御部１０は、浴室リモコン１１及び台所リモコン１２に対して、有線通信または無線通信により、双方向に通信可能になっている。制御部１０と、浴室リモコン１１及び台所リモコン１２とは、ネットワークを介して通信可能でもよい。浴室リモコン１１は、浴室に設置されている。台所リモコン１２は、台所に設置されている。台所リモコン１２は、浴室以外の場所に設けられたリモコンの例である。台所リモコン１２に代えて、例えばリビングルームに設置されたリモコンを、浴室以外の場所に設けられたリモコンとして備えてもよい。
【００１８】
浴室リモコン１１及び台所リモコン１２は、ユーザーインターフェースの例である。浴室リモコン１１及び台所リモコン１２に加えて、あるいは浴室リモコン１１及び台所リモコン１２に代えて、例えばスマートフォンのような携帯情報端末がユーザーインターフェースとしての機能を有するように構成してもよい。
【００１９】
浴室リモコン１１は、情報を表示する表示手段１１ａと、使用者が操作するボタンスイッチ等を有する操作部と、スピーカーから音声案内を出力可能な音声案内手段１１ｂとを備える。表示手段１１ａは、例えば、液晶表示装置、有機ＥＬ（Ｅｌｅｃｔｒｏ−Ｌｕｍｉｎｅｓｃｅｎｃｅ）表示装置などを備えた構成を有し、給湯装置１の状態、浴槽温度、給湯温度などの情報を表示可能である。表示手段１１ａ及び音声案内手段１１ｂは、浴室内の使用者に情報を報知する情報報知手段に相当する。
【００２０】
台所リモコン１２は、情報を表示する表示手段１２ａと、使用者が操作するボタンスイッチ等を有する操作部と、スピーカーから音声案内を出力可能な音声案内手段１２ｂとを備える。表示手段１２ａは、例えば、液晶表示装置、有機ＥＬ表示装置などを備えた構成を有し、給湯装置１の状態、浴槽温度、給湯温度などの情報を表示可能である。表示手段１２ａ及び音声案内手段１２ｂは、浴室以外の場所に設けられた浴室外報知手段に相当する。
【００２１】
使用者は、浴室リモコン１１または台所リモコン１２を操作することで、給湯装置１を遠隔操作し、浴槽２０の追い焚き運転を含む各種の指示を入力したり、各種の設定などを行うことが可能である。
【００２２】
給湯装置１は、貯湯タンク２の水を加熱する加熱装置（図示省略）を備える。この加熱装置で加熱された水が貯湯タンク２内に貯留される。この加熱装置は、例えば、ヒートポンプ式加熱装置、燃料の燃焼により加熱する燃焼式加熱装置、電気ヒータ等、いかなる構成のものでも良い。
【００２３】
給湯装置１は、浴槽２０へ湯を注入することで浴槽２０に湯を溜める湯張り運転を行う湯張り手段（図示省略）を備える。湯張り手段は、例えば、貯湯タンク２から供給される高温水と、水道等の水源から供給される低温水とを混合することにより給湯温度を調整する混合弁を備え、当該混合弁から流出する湯を、浴槽水循環回路５を介して浴槽２０に注入するように構成される。湯張り運転のとき、制御部１０は、浴槽２０への給湯流量を検出する流量センサ（図示省略）により検出された積算流量が、使用者により設定された湯張り湯量に達すると、浴槽２０への給湯を停止するように制御可能である。
【００２４】
制御部１０は、浴槽２０内の浴槽水の温度を上昇させるための追い焚き運転を制御する。追い焚き運転では、以下のようになる。熱源側ポンプ４及びふろ循環ポンプ６を稼働させる。貯湯タンク２の上部からの高温水が熱源流体として第一通路３ａを通ってふろ用熱交換器７に供給される。ふろ用熱交換器７において、熱源流体と、浴槽２０から第一通路５ａを通って導入された浴槽水とが熱を交換することで、浴槽水が加熱され、熱源流体が冷却される。加熱された浴槽水が第二通路５ｂを通って浴槽２０内に戻る。冷却された熱源流体が第二通路３ｂを通って貯湯タンク２の下部に流入する。
【００２５】
本実施の形態におけるふろ用熱交換器７は、浴槽２０から循環する浴槽水を加熱可能な浴槽水加熱手段に相当する。本発明における浴槽水加熱手段は、ふろ用熱交換器７に代えて、例えば、燃料の燃焼により加熱する燃焼式加熱装置または電気ヒータ等により構成されてもよい。本発明は、貯湯タンク２を備えない給湯装置にも適用可能である。
【００２６】
図２は、実施の形態１における追い焚き運転のときの制御の一例を示すフローチャートである。以下、図２を参照して、実施の形態１における追い焚き運転についてさらに説明する。
【００２７】
使用者は、例えば、浴室リモコン１１を操作することで、浴槽２０の追い焚きを指示することができる。制御部１０は、浴室リモコン１１から浴槽２０の追い焚きの指示を受信すると、図２のステップＳ１として、まず、ふろ循環ポンプ６の駆動を開始し、浴槽水循環回路５に浴槽水を循環させ、浴槽２０内の浴槽水をふろ戻り温度検知手段８の位置にまで引き込む。次いで、ステップＳ２として、制御部１０は、ふろ戻り温度検知手段８により浴槽水の温度を測定する。このときに測定された温度は、追い焚き運転開始時の浴槽２０内の浴槽水の温度に相当しており、以下「追い焚き前温度」と称する。
【００２８】
次いで、ステップＳ３として、制御部１０は、追い焚き前温度と、目標浴槽温度と、浴槽２０内の浴槽水の量とに基づいて、追い焚き妥当時間を算出する。追い焚き妥当時間は、追い焚き運転の開始から完了までに最小限必要と考えられる基準時間に相当する。目標浴槽温度は、例えば、使用者が浴室リモコン１１により設定した温度である。制御部１０は、例えば、使用者により設定された湯張り湯量を、浴槽２０内の浴槽水の量とみなしてもよい。または、制御部１０は、浴槽２０内の水位を検出する水位センサ（図示省略）の信号に基づいて、浴槽２０内の浴槽水の量を検出してもよい。
【００２９】
次いで、ステップＳ４として、制御部１０は、熱源側ポンプ４の駆動を開始し、熱源流体を熱源流体循環回路３に循環させる。これにより、ふろ用熱交換器７における熱源流体と浴槽水との熱交換が開始する。なお、本開示において、「追い焚き運転の開始」とは、ふろ用熱交換器７において浴槽水の加熱が開始した時点、すなわち熱源側ポンプ４及びふろ循環ポンプ６が共に運転される状態が開始した時点を指すものであり、このステップＳ４の時点に相当している。
【００３０】
図３は、実施の形態１における浴室リモコン１１の表示手段１１ａの表示例を示す図である。表示手段１１ａは、語句または文章等を表示可能なガイダンス表示部３０を有する。追い焚き運転の実行中には、図３に示すように、ガイダンス表示部３０に例えば「追い焚き」との語句を表示してもよい。これにより、追い焚き運転が実行中であることを使用者に報知することができる。以下の説明では、入浴中の使用者のことを「入浴者」と呼ぶ場合がある。
【００３１】
なお、ステップＳ３の追い焚き妥当時間の演算において、制御部１０は、以下のようにしてもよい。制御部１０は、目標浴槽温度と追い焚き前温度との温度差が大きいほど、追い焚き妥当時間が長い時間となるように算出する。制御部１０は、浴槽２０内の浴槽水の量が多いほど、追い焚き妥当時間が長い時間となるように算出する。追い焚き運転の開始から完了するまでに必要と考えられる時間は、単純計算すると、浴槽２０内の浴槽水の熱容量に上記温度差を乗じた値を、ふろ用熱交換器７による加熱能力（単位はワット）で割った時間となる。外乱による誤差を考慮して、制御部１０は、この単純計算した時間よりも短い時間となるように追い焚き妥当時間を算出してもよい。ふろ用熱交換器７による加熱能力は、例えば、貯湯タンク２からふろ用熱交換器７に流入する熱源流体の温度、ふろ用熱交換器７の熱交換効率、熱源流体の流量などに基づいて制御部１０が計算することができる。また、制御部１０は、予め記憶された所定値をふろ用熱交換器７による加熱能力の値として用いてもよい。一例として、追い焚き前温度が４０℃、目標浴槽温度が４２℃、浴槽２０内の浴槽水の量が２００Ｌ、ふろ用熱交換器７に流入する熱源流体の温度が８５℃であった場合に、２００Ｌの浴槽水を４０℃から４２℃まで２℃昇温するための時間は、自然放熱などが無かった場合であっても、１０分間以上の時間が必要である、と算出された場合には、追い焚き妥当時間を、１０分間未満の値、例えば５分間などと算出してもよい。
【００３２】
ステップＳ３とステップＳ４の順序は、上記と逆でもよい。すなわち、制御部１０は、熱源側ポンプ４の駆動を開始した後、追い焚き妥当時間を演算してもよい。本実施の形態であれば、追い焚き前温度と、目標浴槽温度と、浴槽２０内の浴槽水の量とに基づいて追い焚き妥当時間を算出することで、追い焚き妥当時間をより適切な長さに設定することが可能となる。変形例として、制御部１０は、追い焚き妥当時間を毎回演算することに代えて、予め記憶された値を追い焚き妥当時間として用いてもよい。
【００３３】
追い焚き運転の実行中、制御部１０は、ステップＳ５として、ふろ戻り温度検知手段８によりふろ戻り温度を測定する。次いで、ステップＳ６として、制御部１０は、その測定されたふろ戻り温度を目標浴槽温度と比較する。その結果、ふろ戻り温度が目標浴槽温度よりも低い場合には、制御部１０は、追い焚き運転を継続し、ステップＳ５以降の処理を再び行う。これに対し、ステップＳ６でふろ戻り温度が目標浴槽温度以上となった場合には、制御部１０は、ステップＳ７として熱源側ポンプ４を停止するとともに、ステップＳ８としてふろ循環ポンプ６を停止することにより、追い焚き運転を終了する。
【００３４】
次いで、ステップＳ９として、制御部１０は、今回の追い焚き運転時間を算出する。追い焚き運転時間は、今回の追い焚き運転が開始されてから、ふろ戻り温度が目標浴槽温度に達するまでに要した時間である。例えば、制御部１０は、ステップＳ４で追い焚き運転が開始してから、ステップＳ７及びステップＳ８の処理により追い焚き運転が終了した時点までの時間を追い焚き運転時間として算出してもよい。
【００３５】
次いで、ステップＳ１０として、制御部１０は、ステップＳ９で算出された追い焚き運転時間を追い焚き妥当時間と比較する。その結果、追い焚き運転時間が追い焚き妥当時間以上である場合（例えば、追い焚き運転時間が１５分間、追い焚き妥当時間が５分間の場合）には、今回の追い焚き運転は正常に行われたものと判断できる。「追い焚き運転が正常に行われた」とは、浴槽２０内の浴槽水が全体としてほぼ均一に目標浴槽温度まで加熱されたことに相当する。この場合には、制御部１０は、本フローチャートの処理を終了する。
【００３６】
これに対し、ステップＳ１０で、追い焚き運転時間が追い焚き妥当時間よりも短い場合（例えば、追い焚き運転時間が３分間、追い焚き妥当時間が５分間の場合）には、浴槽２０内の浴槽水の全体が目標浴槽温度まで加熱されたとは考えられないので、今回の追い焚き運転は正常に行われなかったものと判断できる。
【００３７】
追い焚き運転が正常に行われなかった原因としては、例えば、浴槽２０内の入浴者が足または背中などを浴槽アダプタ２１に近づけていることで、接続口である浴槽アダプタ２１が塞がっていることが考えられる。接続口である浴槽アダプタ２１が塞がっていると、ふろ用熱交換器７にて昇温した浴槽水が第二通路５ｂから浴槽２０内へ流出した際に、浴槽２０内へ広がらずに、すぐに第一通路５ａに吸い込まれてしまうことがある。そうすると、ふろ用熱交換器７にて昇温した浴槽水の温度がふろ戻り温度検知手段８で検知されてしまう。その結果、上記ステップＳ６で、ふろ戻り温度検知手段８で検知された温度が目標浴槽温度以上となり、ステップＳ７及びステップＳ８へ進み、追い焚き妥当時間よりも短時間で追い焚き運転が停止してしまうことになる。
【００３８】
本実施の形態において、制御部１０は、上記のような場合、すなわち追い焚き運転時間が追い焚き妥当時間よりも短い場合には、追い焚き運転を一旦終了するとともに、接続口である浴槽アダプタ２１が塞がっていないかどうかについての注意を喚起する情報である注意喚起情報を情報報知手段により報知し、その後に追い焚き運転を再び開始する。これにより、以下の効果が得られる。入浴者が足または背中などで浴槽アダプタ２１を塞いでいた場合には、注意喚起情報を入浴者に報知することで、浴槽アダプタ２１を塞がないように入浴者が体勢を変えることが期待できる。また、例えばタオルのような物品によって浴槽アダプタ２１が塞がれていた場合でも、注意喚起情報を入浴者に報知することで、浴槽アダプタ２１を塞いでいる物品を入浴者が除去することが期待できる。よって、注意喚起情報を報知した後に追い焚き運転を再び開始すると、追い焚き運転が正常に行われ、浴槽２０内の浴槽水が全体としてほぼ均一に目標浴槽温度まで加熱されると考えられる。
【００３９】
図４及び図５は、浴室リモコン１１の表示手段１１ａに注意喚起情報を表示した例を示す図である。このうち、図４の例では、表示手段１１ａのガイダンス表示部３０に「追い焚き運転リトライ中  追い焚き運転を正常に実施できません  浴槽アダプタを足などで塞いでいませんか」との語句及び文章を表示している。図４の表示例を以下「ガイダンスＡ」と称する。なお、注意喚起情報は、このような語句または文章に限定されるものではなく、図形またはマークなどを利用したものでもよい。
【００４０】
以下、図２のフローチャートに戻って説明を続ける。ステップＳ１０で、追い焚き運転時間が追い焚き妥当時間よりも短い場合には、制御部１０は、ステップＳ１１として、「追い焚きリトライ数」の値に１を加える。「追い焚きリトライ数」は、繰り返しの追い焚き運転を行った回数として制御部１０が記憶している変数である。図２のフローチャートの処理を開始したときの「追い焚きリトライ数」の値はゼロである。
【００４１】
本実施の形態では、制御部１０は、繰り返しの追い焚き運転の回数に制限を設けている。すなわち、制御部１０は、繰り返しの追い焚き運転の回数が「第一制限回数」に達した場合には、追い焚き運転をそれ以上実施することなく、追い焚き運転を中止する。以下の説明では、例として第一制限回数を３回とするが、第一制限回数は、１回以上の任意の回数に設定してよい。また、使用者が浴室リモコン１１または台所リモコン１２を操作することで、第一制限回数の値を変更できるように構成してもよい。
【００４２】
追い焚き運転を繰り返す回数が多すぎると、貯湯タンク２内の高温水を多量に消費してしまう可能性がある。本実施の形態であれば、追い焚き運転を繰り返す回数に制限を設けることで、貯湯タンク２内の高温水を多量に消費してしまうことを確実に防止できる。
【００４３】
図２のフローチャートでは、追い焚き運転を繰り返す回数を制限するために、ステップＳ１２として、制御部１０は、「追い焚きリトライ数」の値が、第一制限回数である３以上かどうかを判断する。「追い焚きリトライ数」の値が３未満である場合には、制御部１０は、ステップＳ１３として、前述した図４に示すガイダンスＡの表示を注意喚起情報として表示手段１１ａに表示するとともに、ステップＳ１に戻って、追い焚き運転を初めから再び開始する。
【００４４】
なお、制御部１０は、ステップＳ１３の注意喚起情報の報知をした後、所定の待機時間（例えば、数十秒間〜数分間）が経過するのを待ってから、ステップＳ１に戻って追い焚き運転を開始するようにしてもよい。これにより、上記待機時間の間に入浴者がより確実に注意喚起情報に気付くことが期待できるので、浴槽アダプタ２１が塞がっていない状態になってから追い焚き運転が開始すると期待できる。
【００４５】
入浴者は、浴室リモコン１１の表示手段１１ａを見ていない可能性があるので、ステップＳ１３の注意喚起情報に気付かない可能性がある。このため、浴槽アダプタ２１が塞がった状態のままで２回目の追い焚き運転が行われる可能性がある。その場合には、２回目の追い焚き運転においても、追い焚き運転時間が追い焚き妥当時間よりも短くなると考えられるので、ステップＳ１０からステップＳ１１へと進み、３回目の追い焚き運転が開始される可能性がある。同様にして、４回目の追い焚き運転が行われる可能性もある。
【００４６】
入浴者の身体あるいは物品が浴槽アダプタ２１を塞いでいなくても、浴槽アダプタ２１の詰まりによって、追い焚き運転が正常に行われない可能性がある。例えば、接続口を覆う網状部材を備えた浴槽アダプタ２１において、網状部材がごみまたは汚れなどで詰まっていると、網状部材によって接続口が塞がれた状態になる。この場合には、第二通路５ｂから流出した浴槽水が網状部材で跳ね返されてそのまま第一通路５ａに吸い込まれてしまう可能性がある。このようにして、浴槽アダプタ２１が詰まっている場合には、入浴者がステップＳ１３の注意喚起情報に気付いていたとしても、追い焚き運転が繰り返し行われる可能性がある。
【００４７】
本実施の形態では、ステップＳ１２で、「追い焚きリトライ数」の値が３以上となった場合には、制御部１０は、ステップＳ１４として、図５に示すガイダンスＢの表示を注意喚起情報として表示手段１１ａに表示する。その後、制御部１０は、追い焚き運転をそれ以上実施することなく追い焚き運転を中止し、本フローチャートの処理を終了する。
【００４８】
このように、本実施の形態では、繰り返しの追い焚き運転の回数が第一制限回数である３回に達した場合、すなわち、初回の追い焚き運転を含めて４回目の追い焚き運転を行った場合には、追い焚き運転をそれ以上実施することなく追い焚き運転を中止する。
【００４９】
図５の例では、表示手段１１ａのガイダンス表示部３０に「追い焚き運転を中止しました  追い焚き運転を正常に実施できませんでした  浴槽アダプタが詰まっていませんか」との文章を注意喚起情報として表示している。このように、繰り返しの追い焚き運転の回数が第一制限回数に達して追い焚き運転を中止した場合には、繰り返しの追い焚き運転の回数が第一制限回数に達する前の注意喚起情報（ガイダンスＡ）とは異なる内容を有する注意喚起情報（ガイダンスＢ）を情報報知手段により報知してもよい。これにより、例えば、追い焚き運転が中止された理由などの情報を使用者に確実に知らせることができる。図５の例であれば、浴槽アダプタ２１が詰まっている可能性があることを使用者に確実に知らせることができる。
【００５０】
本実施の形態によれば、追い焚き運転の際に、浴槽アダプタ２１が塞がっていることで浴槽２０内が攪拌されにくい場合などでも、速やかに使用者へ情報提供することが可能となるので、追い焚き運転の異常を速やかに解消する上で有利になる。また、給湯装置１の誤動作であると使用者が勘違いしてしまうことを確実に防止できる。
【００５１】
ステップＳ１４において、表示手段１１ａにより注意喚起情報を報知することに加えて、浴室リモコン１１の音声案内手段１１ｂから、ガイダンスＢと同様な内容の音声案内を注意喚起情報として出力してもよい。すなわち、繰り返しの追い焚き運転の回数が第一制限回数に達して追い焚き運転を中止する場合には、表示手段１１ａ及び音声案内手段１１ｂの双方から注意喚起情報を報知してもよい。これにより、使用者が浴室にいない場合、あるいは使用者が表示手段１１ａを見ていないような場合でも、追い焚き運転が中止された理由などの情報を使用者により確実に知らせることができる。
【００５２】
一方、ステップＳ１３の注意喚起情報、すなわち、繰り返しの追い焚き運転の回数が第一制限回数に達していない場合の注意喚起情報については、音声案内手段１１ｂを用いることなく表示手段１１ａにより報知することが好ましい。ステップＳ１３の段階では、使用者は浴槽２０内または浴室内にいる可能性が高いので、表示手段１１ａの注意喚起情報に気付く可能性が高く、音声案内をする必要性が低いと考えられる。よって、この場合には、音声案内をしないようすることで、必要性の低い音声案内が煩わしいという感情を使用者に抱かせることを防止できる。
【００５３】
本実施の形態では、使用者の身体などが浴槽アダプタ２１を塞いでいないかどうかについて注意を喚起する注意喚起情報（図４）と、ごみなどで浴槽アダプタ２１が詰まっていないかどうかについて注意を喚起する注意喚起情報（図５）とを分けて報知するようにしているが、この両者を合わせた内容の注意喚起情報を報知するようにしてもよい。
【００５４】
また、本実施の形態では、主として浴室リモコン１１によって注意喚起情報を報知しているが、浴室外報知手段である台所リモコン１２によって注意喚起情報を報知してもよいし、浴室リモコン１１及び台所リモコン１２の両方によって注意喚起情報を報知してもよい。
【００５５】
制御部１０は、ステップＳ１３の注意喚起情報、すなわち、繰り返しの追い焚き運転の回数が第一制限回数に達していない場合の注意喚起情報については、台所リモコン１２を用いることなく浴室リモコン１１によって報知することが好ましい。ステップＳ１３の段階では、使用者は浴槽２０内または浴室内にいる可能性が高いので、台所等にいる他の使用者に対して注意喚起情報を報知する必要性は低いからである。
【００５６】
一方、ステップＳ１４の注意喚起情報、すなわち、繰り返しの追い焚き運転の回数が第一制限回数に達して追い焚き運転を中止した場合の注意喚起情報については、浴室リモコン１１及び台所リモコン１２の両方によって報知することが好ましい。これにより、使用者が浴室内にいなかったとしても、浴槽アダプタ２１が詰まっている可能性があるという情報をより確実に使用者に報知することができる。
【００５７】
繰り返しの追い焚き運転の回数が第一制限回数に達して追い焚き運転が中止された後、使用者が浴室リモコン１１に対して再度の追い焚きの指示を操作した場合には、制御部１０は、図２のフローチャートの処理を再び開始し、追い焚き運転を再実行する。このようにして追い焚き運転を再実行した場合において、この再実行の後の繰り返しの追い焚き運転の回数が、第一制限回数よりも少ない第二制限回数に達した場合には、制御部１０は、追い焚き運転をそれ以上実施することなく中止するようにしてもよい。例えば、制御部１０は、追い焚き運転の再実行後の図２のフローチャートの処理においては、ステップＳ１２において「追い焚きリトライ数」と比較する値を３に代えて２または１としてもよい。浴槽アダプタ２１の詰まりなどの原因が取り除かれていない状況下で使用者が再度の追い焚きの指示する可能性がある。そのような場合に、繰り返しの追い焚き運転の制限回数を少なくすることで、エネルギーの無駄な消費を抑制することができる。
【００５８】
一方、上述のようにして再実行された追い焚き運転が正常に終了した場合、すなわちステップＳ１０からステップＳ１１へ１度も移行することなく終了した場合には、制御部１０は、繰り返しの追い焚き運転の回数の上限として第二制限回数ではなく第一制限回数を設定してもよい。この場合には、浴槽アダプタ２１の詰まりなどの原因が取り除かれたと考えられるので、繰り返しの追い焚き運転の制限回数を少なくする必要はないからである。
【符号の説明】
【００５９】
１  給湯装置、  ２  貯湯タンク、  ３  熱源流体循環回路、  ３ａ  第一通路、  ３ｂ  第二通路、  ４  熱源側ポンプ、  ５  浴槽水循環回路、  ５ａ  第一通路、  ５ｂ  第二通路、  ６  ふろ循環ポンプ、  ７  ふろ用熱交換器、  ８  ふろ戻り温度検知手段、  ９  ふろ往き温度検知手段、  １０  制御部、  １１  浴室リモコン、  １１ａ  表示手段、  １１ｂ  音声案内手段、  １２  台所リモコン、  １２ａ  表示手段、  １２ｂ  音声案内手段、  １５  タンクユニット、  ２０  浴槽、  ２１  浴槽アダプタ、  ３０  ガイダンス表示部
【図１】
2019100635.tif 000003
【図２】
2019100635.tif 000004
【図３】
2019100635.tif 000005
【図４】
2019100635.tif 000006
【図５】
2019100635.tif 000007